(57)【要約】【課題】第三者の無断閲覧を防止すると同時に特定の人物に対する開示を容易にする。【解決手段】文書及び画像を含む情報の表示を行う電子ペーパー表示システムに、認証鍵を生成し近距離通信で電子ペーパーに送信しメールで送信する送り手の携帯情報機器111と、携帯送り手の携帯情報機器から受信したメールから取り出した認証鍵を近距離通信で電子ペーパーに送信する受け手の携帯情報機器112と、電子ペーパーに入力した文書及び画像を含む情報を保存するメモリ103と、メモリに保存されている文書及び画像を含む情報を表示する表示部104と、送り手の携帯機器から認証鍵を近距離通信で受信し書き込みを行い受け手の携帯機器から認証鍵を近距離通信で受信する近距離通信部102と、近距離通信部で受信した送り手の携帯機器からの認証鍵と受け手の携帯機器とを照合し一致する場合にメモリに保存される文書及び画像を含む情報を表示させる照合部107Aとを備える。【選択図】図１
2009205250.tif 000002
【特許請求の範囲】
【請求項１】
文書及び画像を含む情報の表示を行う電子ペーパー表示システムにおいて、
認証鍵を生成し、生成した認証鍵を近距離通信で電子ペーパーに送信し、且つ生成した認証鍵をメールで送信する送り手の携帯情報機器と、
前記送り手の携帯情報機器から受信したメールから取り出した認証鍵を近距離通信で電子ペーパーに送信する受け手の携帯情報機器と、
電子ペーパーに入力した文書及び画像を含む情報を保存するメモリと、
前記メモリに保存されている文書及び画像を含む情報を表示する表示部と、
前記送り手の携帯情報機器から認証鍵を近距離通信で受信し書き込みを行い、前記受け手の携帯情報機器から認証鍵を近距離通信で受信する近距離通信部と、
前記近距離通信部で受信し書き込まれた前記送り手の携帯情報機器からの認証鍵と前記近距離通信部で受信した前記受け手の携帯情報機器とを照合し、一致する場合に、前記メモリに保存される文書及び画像を含む情報を前記表示部に表示させる照合部とを備えることを特徴とする電子ペーパー表示システム。
【請求項２】
前記近距離通信部の近距離通信、前記送り手の携帯情報機器の近距離通信、前記受け手の携帯情報機器の近距離通信はＩＣタグ、ＩＣチップ、赤外線通信、Ｂｌｕｅｔｏｏｔｈ、無線ＬＡＮの任意の１つであることを特徴とする、請求項１に記載の電子ペーパー表示システム。
【請求項３】
前記認証鍵の生成アルゴリズムは共通鍵暗号方式又は公開鍵暗号方式であることを特徴とする、請求項１に記載の電子ペーパー表示システム。
【請求項４】
文書及び画像を含む情報を予め暗号化して前記メモリに保存し、前記表示部に表示する際に保存された文書及び画像を含む情報を復号化することを特徴とする、請求項１に記載の文字入力・機能操作装置。
【請求項５】
前記メモリの領域には認証鍵の有無で前記表示部への表示を制限する文書及び画像を含む情報を区別して保存し、認証鍵がある場合には認証鍵をパラメータとして文書及び画像を含む情報を保存することを特徴とする請求項１に記載の電子ペーパー表示システム。
【請求項６】
前記メモリはフラッシュメモリであることを特徴とする、請求項１に記載の電子ペーパー表示システム。
【請求項７】
前記照合部は、不一致の場合には前記表示部に対して白紙状態の表示を行うことを特徴とする、請求項１に記載の電子ペーパー表示システム。
【請求項８】
前記照合部は、前記表示部に表示した文書及び画像を含む情報を、要求により消去することを特徴とする、請求項１に記載の電子ペーパー表示システム。
【請求項９】
前記送り手の携帯情報機器の近距離通信、前記受け手の携帯情報機器の近距離通信の一方又は双方は、認証鍵を他のＩＣチップに書き込んで、他のＩＣチップから前記近距離通信部に対して認証鍵を送信することを特徴とする、請求項１に記載の電子ペーパー表示システム。
【請求項１０】
文書及び画像を含む情報の表示を行う電子ペーパー表示方法において、
電子ペーパーに入力した文書及び画像を含む情報を保存する工程と、
送り手の携帯情報機器で認証鍵を生成し、生成した認証鍵をメールで受け手の携帯情報機器に送信し、かつ、生成した認証鍵を近距離通信で電子ペーパーに送信する工程と、
前記電子ペーパーでは前記送り手の携帯情報機器から認証鍵を近距離通信で受信する工程と、
前記受け手の携帯情報機器では前記送り手の携帯情報機器から受信したメールから取り出した認証鍵を近距離通信で前記電子ペーパーに送信する工程と、
前記電子ペーパーでは前記受け手の携帯情報機器から認証鍵を近距離通信で受信する工程と、
前記電子ペーパーでは前記送り手の携帯情報機器から受信した認証鍵と前記受け手の携帯情報機器から受信した認証鍵を照合し、一致する場合には保存した文書及び画像を含む情報を表示する工程とを備えることを特徴とする電子ペーパー表示方法。
【請求項１１】
文書及び画像を含む情報の表示を行う電子ペーパー表示プログラムにおいて、
電子ペーパーに入力した文書及び画像を含む情報を保存する手順と、
送り手の携帯情報機器で認証鍵を生成し、生成した認証鍵をメールで受け手の携帯情報機器に送信し、かつ、生成した認証鍵を近距離通信で電子ペーパーに送信する手順と、
前記電子ペーパーでは前記送り手の携帯情報機器から認証鍵を近距離通信で受信する手順と、
前記受け手の携帯情報機器では前記送り手の携帯情報機器から受信したメールから取り出した認証鍵を近距離通信で前記電子ペーパーに送信する手順と、
前記電子ペーパーでは、前記受け手の携帯情報機器から認証鍵を近距離通信で受信する手順と、
前記電子ペーパーでは前記送り手の携帯情報機器から受信した認証鍵と前記受け手の携帯情報機器から受信した認証鍵を照合し、一致する場合には保存した文書及び画像を含む情報を表示する手順とを備えることを特徴とする電子ペーパー表示プログラム。
【請求項１２】
文書及び画像を含む情報の表示を行う電子ペーパーにおいて、
電子ペーパーに入力した文書及び画像を含む情報を保存するメモリと、
前記メモリに保存されている文書及び画像を含む情報を表示する表示部と、
認証鍵を生成し、生成した認証鍵をメールで送信し、かつ、生成した認証鍵を近距離通信で送信する送り手の携帯情報機器から認証鍵を近距離通信で受信し書き込みを行い、前記送り手の携帯情報機器から受信したメールから取り出した認証鍵を近距離通信で送信する受け手の携帯情報機器から認証鍵を近距離通信で受信する近距離通信部と、
前記近距離通信部で受信し書き込まれた前記送り手の携帯情報機器からの認証鍵と前記近距離通信部で受信した前記受け手の携帯情報機器からの認証鍵とを照合し、一致する場合に、前記メモリに保存される文書及び画像を含む情報を前記表示部に表示させる照合部とを備えることを特徴とする電子ペーパー。
【請求項１３】
電子ペーパーに対して表示制限を行う携帯電話機において、
認証鍵を生成し、生成された認証鍵をメールで送信させるための認証鍵生成部と、
前記認証鍵生成部で生成された認証鍵と受信したメールから取り出した認証鍵の照合を行わせ、一致する場合に電子ペーパーに表示させるために、前記認証生成部で生成された認証鍵を近距離通信で電子ペーパーに送信し書き込ませ、又は、受信したメールから取り出した認証鍵を近距離通信で電子ペーパーに送信するＩＣチップとを備えることを特徴とする携帯電話機。
【発明の詳細な説明】
【技術分野】
【０００１】
本発明は文書内容等の情報を表示する電子ペーパーに関する。特に、本発明は、ＩＣチップによる認証を用いた電子ペーパー表示システム、方法、プログラム、電子ペーパー及び携帯電話機に関する。
【背景技術】
【０００２】
従来、特定の人物にのみ開示したい文書を印字された形式で授受する場合、例えば親展文書である旨を表示する等の方法がある。しかしながら、文書内容が印字されている以上、文書の紛失時も含め、第三者が無断で閲覧する可能性を物理的に排除することができない。
また、印字された文書は無断閲覧されうる危険性に加え、複製・改ざんも容易であり、個人情報、企業の機密情報を授受する形式として適切ではない。
【０００３】
近年、印字される文書に代わり電子ペーパーが普及し、電子ペーパーには文書内容等の情報が表示されるが、電子ペーパーに表示される文書内容等の情報に対して上記と同様に、第三者により無断で閲覧される可能性があるという問題がある。
さらに、特定の人物にのみ開示する場合に特定の人物が容易に閲覧可能となるようにしたいという課題もある。
【０００４】
電子的に表示される情報の第三者による無断閲覧の防止に関連して以下の特許文献がある。
ＩＣカード等の情報記憶装置の不便性を解消し、利用者がいつでもどこでも情報記憶装置に記憶されたデータを呼び出し、データの内容を確認することが可能な情報記憶装置を提供することを目的とし、コネクタ部によってリーダライタに接続し、リーダライタからの指示により記憶部に記憶する個人認証データやその他のデータの書き換えを行うことが可能なＩＣカードであって、所有者本人が入力操作部によって個人認証データを入力すると、中央処理装置は記憶部に記憶した個人認証データと照会し、入力された個人認証データが正しければ、その個人の秘密に属するデータを記憶部から読み出して表示部へ表示するものがある（例えば、特許文献１参照）。
【０００５】
しかしながら、上記特許文献１では、入力された個人認証データが正しければ、その個人の秘密に属するデータを記憶部から読み出して表示部へ表示するが、電子ペーパーに表示される情報の第三者による無断閲覧を防止し、特定の人物に対する開示を容易にするものではない。
また、従来、利用者の利便性を図るために、紙媒体の通帳と同様な表示ができ、必要に応じて並び替え、統計的処理ができるぺーパー状電子表示媒体を用いた通帳を提供するため、端末機リーダ／ライタとの間で情報データを送受信、及び本人認証手段を有する非接触／接触ＩＣカード用ＬＳＩと、該非接触／接触ＩＣカード用ＬＳＩに記憶されている情報データに基づいて、情報データを不揮発性情報表示部に表示させる表示制御ＬＳＩと、次の書換命令があるまでは前の表示内容を維持する不揮発性情報表示部と、表示駆動させるための電源部とが可撓性基材中に埋設し一体化され、可撓性基材表面に入力手段とを有する構成であることを特徴とするペーパー状電子表示媒体を用いた通帳もある（例えば、特許文献２参照）。
【０００６】
しかしながら、上記特許文献２では、ぺーパー状電子表示媒体を用いた通帳を提供するが、電子ペーパーに表示される情報の第三者による無断閲覧を防止し、特定の人物に対する開示を容易にするものではない。
また、従来、データを記憶する記憶手段と、データを画像として表示する表示手段と、を備えた電子ペーパーにおいて、第三者によりデータが取得されないように保護し、また、保護したデータはいつでも必要な場合に送出又は複写することができる電子ペーパーを提供することを課題とし、データを秘密データとして登録する登録手段である操作手段と表示手段と、前記秘密データが前記記憶手段から外部へ送出されることを禁止する禁止手段と、を備えた構成とし、あるいは、データを秘密データとして登録する登録手段である操作手段と表示手段と、操作手段により秘密データを記憶手段から外部へ送出する場合に、認証に係る操作を要求する認証手段と、を備えた構成とするものもある（例えば、特許文献３参照）。
【０００７】
しかしながら、上記特許文献３では、電子ペーパーにおいて、第三者によりデータが取得されないように保護するが、電子ペーパーに表示される情報の第三者による無断閲覧を防止すると同時に特定の人物に対する開示を容易にするものではない。
また、従来、表示された情報が特定の個人以外に漏洩することを未然に防止できる電子情報端末を得るため、入力されたデータをメモリ性を備えた液晶表示デバイスに表示する電子ペーパー端末に置いて、ＣＰＵ、データを記憶するＳＤＲＡＭ、個人認証手段、閲覧領域検出手段を備え、ＣＰＵは、個人認証手段によって利用権限を有するユーザーであると認証できない場合は液晶表示デバイスの表示を消去し、また、ＣＰＵは、閲覧領域検出手段によって電子ペーパー端末が閲覧を許可されている場所にないと判定した場合は、液晶表示デバイスの表示を消去するものもある（例えば、特許文献４参照）。
【０００８】
しかしながら、上記特許文献４では、表示された情報が特定の個人以外に漏洩することを未然に防止できるが、電子ペーパーに表示される情報の第三者による無断閲覧を防止すると同時に特定の人物に対する開示を容易にするものではない。
【０００９】
【特許文献１】特開２００２−２４５４２２号公報
【特許文献２】特開２００３−２４８８０４号公報
【特許文献３】特開２００５−１１５５３０号公報
【特許文献４】特開２００６−０５３６８８号公報
【発明の開示】
【発明が解決しようとする課題】
【００１０】
したがって、本発明は上記問題点に鑑みて、電子ペーパーに表示される情報の第三者による無断閲覧を防止すると同時に特定の人物に対する開示を容易にする電子ペーパー表示システム、方法、プログラム、電子ペーパー及び携帯電話機を提供することを目的とする。
【課題を解決するための手段】
【００１１】
本発明は前記問題点を解決するために、文書及び画像を含む情報の表示を行う電子ペーパー表示システムにおいて、認証鍵を生成し、生成した認証鍵を近距離通信で電子ペーパーに送信し、且つ生成した認証鍵をメールで送信する送り手の携帯情報機器と、前記送り手の携帯情報機器から受信したメールから取り出した認証鍵を近距離通信で電子ペーパーに送信する受け手の携帯情報機器と、電子ペーパーに入力した文書及び画像を含む情報を保存するメモリと、前記メモリに保存されている文書及び画像を含む情報を表示する表示部と、前記送り手の携帯情報機器から認証鍵を近距離通信で受信し書き込みを行い、前記受け手の携帯情報機器から認証鍵を近距離通信で受信する近距離通信部と、前記近距離通信部で受信し書き込まれた前記送り手の携帯情報機器からの認証鍵と前記近距離通信部で受信した前記受け手の携帯情報機器とを照合し、一致する場合に、前記メモリに保存される文書及び画像を含む情報を前記表示部に表示させる照合部とを備えることを特徴とする電子ペーパー表示システムを提供する。
【００１２】
さらに、前記近距離通信部の近距離通信、前記送り手の携帯情報機器の近距離通信、前記受け手の携帯情報機器の近距離通信はＩＣタグ、ＩＣチップ、赤外線通信、Ｂｌｕｅｔｏｏｔｈ、無線ＬＡＮの任意の１つである。
さらに、前記認証鍵の生成アルゴリズムは共通鍵暗号方式又は公開鍵暗号方式である。
さらに、文書及び画像を含む情報を予め暗号化して前記メモリに保存し、前記表示部に表示する際に保存された文書及び画像を含む情報を復号化する。
【００１３】
さらに、前記メモリの領域には認証鍵の有無で前記表示部への表示を制限する文書及び画像を含む情報を区別して保存し、認証鍵がある場合には認証鍵をパラメータとして文書及び画像を含む情報を保存する。
さらに、前記メモリはフラッシュメモリである。
さらに、前記照合部は、不一致の場合には前記表示部に対して白紙状態の表示を行う。
さらに、前記照合部は、前記表示部に表示した文書及び画像を含む情報を、要求により消去する。
さらに、前記送り手の携帯情報機器の近距離通信、前記受け手の携帯情報機器の近距離通信の一方又は双方は、認証鍵を他のＩＣチップに書き込んで、他のＩＣチップから前記近距離通信部に対して認証鍵を送信する。
【００１４】
さらに、本発明は、文書及び画像を含む情報の表示を行う電子ペーパー表示方法において、電子ペーパーに入力した文書及び画像を含む情報を保存する工程と、送り手の携帯情報機器で認証鍵を生成し、生成した認証鍵をメールで受け手の携帯情報機器に送信し、かつ、生成した認証鍵を近距離通信で電子ペーパーに送信する工程と、前記電子ペーパーでは前記送り手の携帯情報機器から認証鍵を近距離通信で受信する工程と、前記受け手の携帯情報機器では前記送り手の携帯情報機器から受信したメールから取り出した認証鍵を近距離通信で前記電子ペーパーに送信する工程と、前記電子ペーパーでは前記受け手の携帯情報機器から認証鍵を近距離通信で受信する工程と、前記電子ペーパーでは前記送り手の携帯情報機器から受信した認証鍵と前記受け手の携帯情報機器から受信した認証鍵を照合し、一致する場合には保存した文書及び画像を含む情報を表示する工程とを備えることを特徴とする電子ペーパー表示方法を提供する。
【００１５】
さらに、本発明は、文書及び画像を含む情報の表示を行う電子ペーパー表示プログラムにおいて、電子ペーパーに入力した文書及び画像を含む情報を保存する手順と、送り手の携帯情報機器で認証鍵を生成し、生成した認証鍵をメールで受け手の携帯情報機器に送信し、かつ、生成した認証鍵を近距離通信で電子ペーパーに送信する手順と、前記電子ペーパーでは前記送り手の携帯情報機器から認証鍵を近距離通信で受信する手順と、前記受け手の携帯情報機器では前記送り手の携帯情報機器から受信したメールから取り出した認証鍵を近距離通信で前記電子ペーパーに送信する手順と、前記電子ペーパーでは前記受け手の携帯情報機器から認証鍵を近距離通信で受信する手順と、前記電子ペーパーでは前記送り手の携帯情報機器から受信した認証鍵と前記受け手の携帯情報機器から受信した認証鍵を照合し、一致する場合には保存した文書及び画像を含む情報を表示する手順とを備えることを特徴とする電子ペーパー表示プログラムを提供する。
【００１６】
さらに、本発明は、文書及び画像を含む情報の表示を行う電子ペーパーにおいて、電子ペーパーに入力した文書及び画像を含む情報を保存するメモリと、前記メモリに保存されている文書及び画像を含む情報を表示する表示部と、認証鍵を生成し、生成した認証鍵をメールで送信し、かつ、生成した認証鍵を近距離通信で送信する送り手の携帯情報機器から認証鍵を近距離通信で受信し書き込みを行い、前記送り手の携帯情報機器から受信したメールから取り出した認証鍵を近距離通信で送信する受け手の携帯情報機器から認証鍵を近距離通信で受信する近距離通信部と、前記近距離通信部で受信し書き込まれた前記送り手の携帯情報機器からの認証鍵と前記近距離通信部で受信した前記受け手の携帯情報機器からの認証鍵とを照合し、一致する場合に、前記メモリに保存される文書及び画像を含む情報を前記表示部に表示させる照合部とを備えることを特徴とする電子ペーパーを提供する。
【００１７】
さらに、本発明は、電子ペーパーに対して表示制限を行う携帯電話機において、認証鍵を生成し、生成された認証鍵をメールで送信させるための認証鍵生成部と、前記認証鍵生成部で生成された認証鍵と受信したメールから取り出した認証鍵の照合を行わせ、一致する場合に電子ペーパーに表示させるために、前記認証生成部で生成された認証鍵を近距離通信で電子ペーパーに送信し書き込ませ、又は、受信したメールから取り出した認証鍵を近距離通信で電子ペーパーに送信するＩＣチップとを備えることを特徴とする携帯電話機を提供する。
【発明の効果】
【００１８】
以上説明したように、本発明によれば、電子ペーパーに入力した文書及び画像を含む情報を保存し、送り手の携帯情報機器で認証鍵を生成し、生成した認証鍵をメールで受け手の携帯情報機器に送信し、かつ、生成した認証鍵を近距離通信で電子ペーパーに送信し、電子ペーパーでは送り手の携帯情報機器から認証鍵を近距離通信で受信し、受け手の携帯情報機器では送り手の携帯情報機器から受信したメールから取り出した認証鍵を近距離通信で電子ペーパーに送信し、電子ペーパーでは受け手の携帯情報機器から認証鍵を近距離通信で受信し、電子ペーパーでは送り手の携帯情報機器から受信した認証鍵と受け手の携帯情報機器から受信した認証鍵を照合し、一致する場合には保存した文書及び画像を含む情報を表示するようにしたので、特定の人物に対してのみ、電子ペーパー１０１により、文書及び画像を含む情報を容易に開示することが可能になり、さらに、文書及び画像を含む情報の複製、改ざんが困難になり、これにより、ユーザの利便性が向上することが期待される。
送り手の携帯情報機器の近距離通信、受け手の携帯情報機器の近距離通信の一方又は双方は、認証鍵を他のＩＣチップに書き込んで、他のＩＣチップから近距離通信部に対して認証鍵を送信するようにしたので、近距離通信時に携帯電話機の他の使用が可能となる。
【発明を実施するための最良の形態】
【００１９】
以下、本発明の実施の形態について図面を参照して説明する。
図１は本発明に係る電子ペーパー表示システムの構成を示す概念図である。本図に示すように、電子ペーパー表示システムは送り手から受け手に送付される電子ペーパー１０１と、インターネット１１３を介する送り手の携帯電話機１１１、受け手の携帯電話機１１２とで構成され、受け手の特定の人物に対してのみ文書及び画像を含む情報を電子ペーパー１０１に表示する動作をプログラム制御により実行する。
【００２０】
送り手の携帯電話機１１１及び受け手の携帯電話機１１２はそれぞれＩＣチップを有し、送り手の携帯電話機１１１はインターネット１１３を介して受け手の携帯電話機１１２に認証鍵をメールで送信し、受け手の携帯電話機１１２は受信したメールから認証鍵を取り出しＩＣチップに保存する。
電子ペーパー１０１には主としてＩＣ（集積回路）タグ１０２、フラッシュメモリ１０３、表示部１０４等が設けられる。
【００２１】
ＩＣタグ１０２は、近距離通信を行うＲＦＩＤ（Ｒａｄｉｏ  Ｆｒｅｑｕｅｎｃｙ  Ｉｄｅｎｔｉｆｉｃａｔｉｏｎ）を想定し、例えば、Ｆｅｌｉｃａ等、一般的なＩＣチップで代用可能であり、送り手の携帯電話機１１１のＣチップからの認証鍵を受信し受信した認証鍵を書き込み、受け手の携帯電話機１１２のＩＣチップからの認証鍵を受信する。
フラッシュメモリ１０３は電子ペーパー１０１に入力した文書及び画像を含む情報を保存する。
【００２２】
表示部１０４は、ＬＣＤ（液晶表示部）で構成され、フラッシュメモリ１０３に保存されている文書及び画像を含む情報を表示する機能を有し、表示部１０４では、特定の情報に対しては特定の受け手である人物以外に対しては、表示の制限が行われる。
図２は図１における電子ペーパー１０１、携帯電話機１１１、１１２の概略構成を示すブロック図である。本図に示すように、電子ペーパー１０１は、より具体的には、ＩＣタグ１０２、フラッシュメモリ１０３、表示部１０４の他に、通信部１０５、操作部１０６、制御部１０７が設けられる。
【００２３】
通信部１０５は、例えば、無線ＬＡＮ（ローカル・エリア・ネットワーク）であり、近距離通信により、フラッシュメモリ１０３に保存する文書及び画像を含む情報の入力を行う。
操作部１０６は文書及び画像を含む情報の入力操作、保存操作、表示操作、表示消去操作を行う。
【００２４】
制御部１０７は、ＣＰＵ（中央演算処理装置）で構成され、電子ペーパー１０１の制御を行い、特に、照合部１０７Ａを有する。
照合部１０７Ａは、受け手のＩＣチップ付き携帯電話機１１２からＩＣタグ１０２を介して近距離通信で受信した認証鍵と送り手のＩＣチップ付き携帯電話機１１１から受信しＩＣタグ１０２に書き込まれている認証鍵を照合し、照合結果に基づきフラッシュメモリ１０３から表示部１０４への表示制御を行う。
【００２５】
携帯電話機１１１、１１２の各々には一般的な携帯電話機の機能の他に認証鍵生成部１２０及びＩＣチップ１３０が設けられる。
認証鍵生成部１２０は、認証鍵を生成し、認証鍵生成部１２０で生成された認証鍵は送り手の携帯電話機１１１から受け手の携帯電話機１１２にメールで送信される。
ＩＣチップ１３０は電子ペーパー１０１のＩＣタグ１０２に対して近距離通信で認証鍵の送信を行う。
【００２６】
図３は図１におけるフラッシュメモリ１０３に対する保存方法を説明する図である。本図に示すように、フラッシュメモリ１０３では、認証鍵の有無で文書及び画像を含む情報の保存方法を区別し、認証鍵がある文書及び画像を含む情報に対しては表示制限が行われる。すなわち、認証鍵がない場合には従来通りに入力した文書及び画像を含む情報Ａ１、Ａ２、…の保存が行われ、保存された文書及び画像を含む情報Ａ１、Ａ２、…に対しては表示には制限はないが、認証鍵が有る場合には、例えば、認証鍵Ｘ１、Ｘ２、…をパラメータにして文書及び画像を含む情報Ｂ１、Ｂ２、…の保存が行われ、文書及び画像を含む情報Ｂ１、Ｂ２、…に対しては表示に後述する制限が行われる。
【００２７】
図４は図２における電子ペーパー１０１の制御部１０９の一連の制御動作例を説明するフローチャートである。本図に示すように、ステップＳ２０１において、制御部１０７では、操作部１０６の入力操作が有ると、通信部１０５による文書及び画像を含む情報の入力の確認制御を行う。文書及び画像を含む情報の入力がない場合にはステップＳ２０５に進む。
ステップＳ２０２において、制御部１０７では、文書及び画像を含む情報の入力がある場合には、ＩＣタグ１０２に認証鍵の書き込みが有るかの確認制御を行う。
【００２８】
ステップＳ２０３において、制御部１０７では、認証鍵の書き込みが有る場合には、操作部１０６の保存操作により、表示制限のあるフラッシュメモリ１０３の領域に認証鍵をパラメータとして入力した文書及び画像を含む情報を保存する制御を行う。
ステップＳ２０４において、制御部１０７では、書き込みがない場合には、操作部１０６の保存操作により、表示制限のないフラッシュメモリ１０３の領域に入力した文書及び画像を含む情報を保存する制御を行う。
【００２９】
ステップＳ２０５において、制御部１０７では、操作部１０６の表示操作により、文書及び画像を含む情報を表示部１０４に表示する要求が有るかの確認制御を行う。表示要求がない場合にはステップＳ２０１に戻り、上記処理を繰り返す。
ステップＳ２０６において、制御部１０７では、表示要求が有る場合には、ＩＣタグ１０２に認証鍵の入力が有るかの確認制御を行う。認証鍵の入力がない場合にはステップＳ２１３に進む。
【００３０】
ステップＳ２０７において、認証鍵の入力が有る場合には、制御部１０７の照合部１０７Ａでは、送り手の携帯電話機１１１によりＩＣタグ１０２に書き込まれた認証鍵と受け手の携帯電話機１１２から入力があった認証鍵に基づき照合を行う。
ステップＳ２０８において、照合の結果、不一致の場合にはステップＳ２１２に進む。
ステップＳ２０９において、照合の結果、一致する場合には表示制限されているフラッシュメモリ１０３の領域から保存されている文書及び画像を含む情報を入力した認証鍵をパラメータとして読み出して表示部１０４に表示する。
【００３１】
ステップＳ２１０において、制御部１０７では、操作部１０６からの表示消去要求があるかの確認制御を行う。
ステップＳ２１１において、制御部１０７では、表示消去がある場合には表示部１０４に表示されている文書及び画像を含む情報を消去し処理を終了する。
ステップＳ２１２において、制御部１０７では、表示部１０４に白紙状態の表示を行い、処理を終了する。
【００３２】
ステップＳ２１３において、制御部１０７では、表示制限されていないフラッシュメモリ１０３の領域から保存されている文書及び画像を含む情報を読み出して表示部１０４に表示し、処理を終了する。
図５は送り手の携帯電話機１１１、受け手の携帯電話機１１２の一連の概略動作を説明するフローチャートである。ステップＳ２２１において、送り手の携帯電話機１１１の場合にはステップＳ２２２に進み、受け手の携帯電話機１１２の場合にはステップＳ２２５に進む。
【００３３】
ステップＳ２２２において、送り手の携帯電話機１１１の認証鍵生成部１２０は認証鍵を生成する。
ステップＳ２２３において、送り手の携帯電話機１１１はインターネット１１３を経由してメールで認証鍵を送信する。
ステップＳ２２４において、送り手の携帯電話機１１１のＩＣチップ１３０は電子ペーパー１０１のＩＣタグ１０２に対して認証鍵を近距離通信で送信し、処理を終了する。
【００３４】
ステップＳ２２５において、受け手の携帯電話機１１２ではメールを受信したかの確認を行う。受信しない場合には処理を終了する。
ステップＳ２２６において、受け手の携帯電話機１１２では受信したメールに認証鍵を含むかを確認する。認証鍵を含んでいない場合には処理を終了する。
ステップＳ２２７において、受け手の携帯電話機１１２では受信したメールに認証鍵を含んでいる場合にはＩＣチップ１３０に受信した認証鍵を保存する。
【００３５】
ステップＳ２２８において、受け手の携帯電話機１１２ではＩＣチップ１３０から電子ペーパー１０１のＩＣタグ１０２に近距離通信で認証鍵を送信し、処理を終了する。
したがって、本発明によれば、特定の人物に対してのみ、電子ペーパー１０１により、文書及び画像を含む情報を容易に開示することが可能になり、さらに、文書及び画像を含む情報の第三者の無断閲覧、複製、改ざんが困難になり、これにより、ユーザの利便性が向上することが期待される。
【実施例１】
【００３６】
電子ペーパー１０１のフラッシュメモリ１０３に保存される文書及び画像を含む情報を予め暗号化し、表示部１０４に表示する際に認証鍵で復号化することをも可能である。
【実施例２】
【００３７】
送り手の携帯電話機１１１の認証鍵生成部１２０で生成する認証鍵の鍵アルゴリズムは、共通鍵暗号方式だけでなく、公開鍵暗号方式を用いることも可能である。
この場合、認証鍵生成部１２０は、１対の認証鍵を生成し、例えば、公開鍵、個人鍵を生成し、認証鍵生成部１２０で生成された一方の認証鍵は送り手の携帯電話機１１１から受け手の携帯電話機１１２にメールで送信され、認証鍵生成部１２０で生成された他方の認証鍵は送り手の携帯電話機１１１のＩＣチップ１３０から電子ペーパー１０１のＩＣタグ１０２に近距離通信で送信する。さらに照合部１０７Ａでは、一方の認証鍵で暗号化し、他方の認証鍵で複合化できた場合に照合が一致したと確認する。
【実施例３】
【００３８】
図１における電子ペーパー１０１のＩＣタグ１０２、送り手の携帯電話機１１１、受け手の携帯電話機１１２のＩＣチップ１３０に代わり、ＩＣタグ、赤外線通信、Ｂｌｕｅｔｏｏｔｈ、無線ＬＡＮでも認証鍵の送受信が可能である。この場合、認証鍵の保存は、電子ペーパー１０１のメモリ、受け手の携帯電話機のメモリで行う。
なお、無線ＬＡＮの場合、電子ペーパー１０１では、通信部１０５が無縁ＬＡＮの場合にはフラッシュメモリ１０３への文書及び画像を含む情報、認証鍵の受信の双方を行うことが可能である。
【実施例４】
【００３９】
電子ペーパー１０１ではフラッシュメモリ１０３に限らず、任意の不揮発性半導体メモリで実現可能である。
【実施例５】
【００４０】
受け手の携帯電話機１１２、送り手の携帯電話機に代わり、ＩＣチップが付属し、インターネット接続機能を有する任意の携帯情報機器、例えば、ＰＨＳ（簡易型携帯電話機）、ＰＤＡ（携帯情報端末）で実現可能である。
【実施例６】
【００４１】
受け手の携帯電話機１１２のＩＣチップ１３０、送り手の携帯電話機１１１のＩＣチップ１３０の一方又は双方から認証鍵を任意のＩＣチップ、例えば、クレジットカードのＩＣチップに書き込んで、認証鍵を書き込んだＩＣチップから電子ペーパー１０１のＩＣタグ１０２に近距離通信で送信することも可能である。これにより、ＩＣタグ１０２への送信時に携帯電話機１１１、１１２の他の使用が可能となる。
【図面の簡単な説明】
【００４２】
【図１】本発明に係る電子ペーパー表示システムの構成を示す概念図である。
【図２】図１における電子ペーパー１０１、携帯電話機１１１、１１２の概略構成を示すブロック図である。
【図３】図１におけるフラッシュメモリ１０３に対する保存方法を説明する図である。
【図４】図２における電子ペーパー１０１の制御部１０９の一連の制御動作例を説明するフローチャートである。
【図５】送り手の携帯電話機１１１、受け手の携帯電話機１１２の一連の概略動作を説明するフローチャートである。
【符号の説明】
【００４３】
１００…電子ペーパー表示システム
１０１…電子ペーパー
１０２…ＩＣタグ
１０３…フラッシュメモリ
１０４…表示部
１０５…通信部
１０６…操作部
１０７…制御部
１０７Ａ…照合部
１１１、１１２…携帯電話機
１１３…インターネット
１２０…認証鍵生成部
１３０…ＩＣチップ
【図１】
2009205250.tif 000003
【図２】
2009205250.tif 000004
【図３】
2009205250.tif 000005
【図４】
2009205250.tif 000006
【図５】
2009205250.tif 000007